(57)【特許請求の範囲】
【請求項１】
自動販売機本体の前面に配置された複数の商品サンプルに対して商品の冷温状態を表示する自動販売機の冷温表示装置において、
前記各商品サンプルごとに配置され、上下方向一端側及び他端側に冷温状態の何れか一方を表示した複数の表示部材と、
各表示部材を上下方向任意の向きで着脱自在に保持する保持部材とを備え、
保持部材には表示部材の上下方向一方の冷温表示のみを外部から目視可能とするように表示部材の上下方向他方の冷温表示を覆う遮蔽部を設け、
各表示部材の各冷温表示の間には各冷温表示にそれぞれ対応する商品の価格を表示するとともに、各価格表示を互いに上下反対向きにして表示部材の幅方向に並べて配置し、
保持部材の遮蔽部を表示部材の上下方向一方の冷温表示及びその価格表示のみを外部から目視可能とするように表示部材の上下方向他方の冷温表示及びその価格表示を覆うように形成した
ことを特徴とする自動販売機の冷温表示装置。
【請求項２】
前記各表示価格の少なくとも最初または少なくとも最後に表示される上下対称の文字を共有するように各表示部材の各価格を表示した
ことを特徴とする請求項１記載の自動販売機の冷温表示装置。
【請求項３】
前記保持部材に表示部材を上下方向に抜き差し自在に保持する溝を設け、
溝の前壁には、表示部材の下側の冷温表示及びこれに対応する価格表示のみを覆うように前記遮蔽部を形成するとともに、上側の冷温表示に対応する価格表示を外部に露出させる切り欠きを設けた
ことを特徴とする請求項１または２記載の自動販売機の冷温表示装置。
【発明の詳細な説明】
【０００１】
【発明の属する技術分野】
本発明は、例えば缶、ビンまたはペットボトル入りの飲料を販売する自動販売機の冷温表示装置に関するものである。
【０００２】
【従来の技術】
従来、この種の冷温表示装置としては、例えば特開平１１−２１３２２８号公報に記載されているように、表面及び裏面の一方に冷状態、その他方に温状態を表示した複数の表示プレートを商品サンプル台の前端部にそれぞれ着脱自在に取付け、各表示プレートの任意の面を前面側に向けて配置することにより、各表示プレートに対応する商品サンプルの冷温状態を表示するようにしたものが知られている。
【０００３】
【発明が解決しようとする課題】
ところで、前記冷温表示装置は複数の表示プレートを備えているが、各表示プレートはそれぞれ複数ずつの商品サンプルに対応するように幅方向に長く形成されている。このため、任意の商品の冷温状態を変更する場合は、その表示プレートに対応する全ての商品を同一の冷温状態にしなければならず、一つの表示プレートに対応する商品の一部のみを他の商品と異なった冷温状態にしたい場合には極めて不都合であった。
【０００４】
本発明は前記問題点に鑑みてなされたものであり、その目的とするところは、複数の商品サンプルに対する冷温状態の表示を各商品サンプルごとに設定することのできる自動販売機の冷温表示装置を提供することにある。
【０００５】
【課題を解決するための手段】
本発明は前記目的を達成するために、請求項１では、自動販売機本体の前面に配置された複数の商品サンプルに対して商品の冷温状態を表示する自動販売機の冷温表示装置において、前記各商品サンプルごとに配置され、上下方向一端側及び他端側に冷温状態の何れか一方を表示した複数の表示部材と、各表示部材を上下方向任意の向きで着脱自在に保持する保持部材とを備え、保持部材には表示部材の上下方向一方の冷温表示のみを外部から目視可能とするように表示部材の上下方向他方の冷温表示を覆う遮蔽部を設け、各表示部材の各冷温表示の間には各冷温表示にそれぞれ対応する商品の価格を表示するとともに、各価格表示を互いに上下反対向きにして表示部材の幅方向に並べて配置し、保持部材の遮蔽部を表示部材の上下方向一方の冷温表示及びその価格表示のみを外部から目視可能とするように表示部材の上下方向他方の冷温表示及びその価格表示を覆うように形成している。これにより、任意の表示部材を保持部材から取外し、その向きを上下に反転させて再び保持部材によって保持することにより、表示部材の冷温表示の位置が上下反対になって冷温表示が切替わる。この場合、各表示部材は各商品サンプルごとに配置されていることから、商品の冷温状態が各商品サンプルごとに設定可能となる。
【０００６】
また、各表示部材に各冷温表示と商品価格がそれぞれ表示されることから、商品価格の表示手段を別途必要としない。
【０００７】
更に、各表示部材の各商品価格が各冷温表示の間に表示されることから、保持部材によって表示部材を保持すると、上下方向一方の冷温表示及びその価格表示が互いに上下に位置する。
【０００８】
また、請求項２では、請求項１記載の自動販売機の冷温表示装置において、前記各表示価格の少なくとも最初または少なくとも最後の文字が上下対称に表示される場合、その文字を共有するように各価格を表示している。これにより、請求項３の作用に加え、各価格表示の表示文字の一部が共有されて表示されることから、価格表示の表示文字数が少なくなる。
【０００９】
【発明の実施の形態】
図１乃至図３は本発明の一実施形態を示すもので、図１は自動販売機の正面図、図２は冷温表示装置の部分正面図、図３はその側面断面図である。
【００１０】
同図に示す自動販売機は、自動販売機本体１の前面に透明パネル１ａによって覆われた商品サンプル室２を備え、商品サンプル室２内には幅方向に配列された多数の商品サンプル２ａが上下複数列に配置されている。各商品サンプル２ａの下方にはそれぞれ商品選択ボタン３が設けられ、各商品選択ボタン３は商品サンプル２ａの各列に沿って幅方向に延びるボタン支持部３ａに取付けられている。尚、図３において、各商品選択ボタン３の電気的なスイッチ構造については図示を省略する。また、自動販売機本体１の前面には、紙幣投入口４、硬貨投入口５、硬貨返却レバー６、硬貨返却口７、金額表示部８及び商品取出口９が設けられている。
【００１１】
更に、前記自動販売機は、各商品サンプル２ａの冷温状態を表示する冷温表示装置１０を備え、冷温表示装置１０は商品サンプル２ａの各列ごとに設けられている。この冷温表示装置１０は、各商品サンプル２ａの冷温状態及び商品価格を表示した複数の表示板１１と、各表示板１１を着脱自在に保持する保持部材としての表示板ホルダ１２とからなり、表示板ホルダ１２には各表示板１１がそれぞれ各商品サンプル２ａごとに一つずつ配置されている。
【００１２】
表示板１１は透明のアクリル板からなり、その前面の上下方向一端側には冷状態を表示する冷表示部１１ａが設けられ、その他端側には温状態を表示する温表示部１１ｂが設けられている。この場合、例えば冷表示部１１ａは青色の背景に表示された「つめた〜い」の文字、温表示部１１ｂは赤色の背景に表示された「あたたか〜い」の文字からなり、これらの文字は互いに上下反対向きに表示されている。また、各表示部１１ａ，１１ｂの間には価格表示部１１ｃが設けられ、価格表示部１１ｃは白色の背景に商品の価格（例えば「￥１２０」）を表示している。価格表示部１１ｃは「￥１２０」の文字を幅方向に二つ並べて表示しており、各「￥１２０」の文字は冷表示部１１ａ及び温表示部１１ｂにそれぞれ対応するように互いに上下反対向きに表示されている。この場合、各「￥１２０」の文字は上下対称の数字「０」を互いに共有するように表示されている。
【００１３】
表示板ホルダ１２は各商品サンプル２ａの列に沿って幅方向に延び、透明パネル１ａの背面側にボタン支持部３ａの後方に位置するように配置され、透明パネル１ａにボルト１２ａによって固定されている。表示板ホルダ１２の上端側には各表示板１１を上下方向に抜き差し可能な溝１２ｂが設けられ、溝１２ｂには各表示板１１が上下方向任意の向きで挿入されている。この場合、溝１２ｂは表示板１１の上側の表示部１１ａ（または１１ｂ）のみが上方に突出する深さに形成され、溝１２ｂの前壁は下側の表示部１１ｂ（または１１ａ）及びこれに対応する価格表示部１１ｃの一部の文字「￥１２」のみを覆う遮蔽部１２ｃを形成している。また、溝１２ｂの前壁及び後壁は上側の表示部１１ａ（または１１ｂ）の表示価格「￥１２０」の文字に対応する切り欠き１２ｄを有している。尚、図示していないが、表示板ホルダ１２では、溝１２ｂ内の各表示板１１間にそれぞれ各表示板１１の移動規制手段を設けたり、或いは溝１２ｂ自体を各表示板１１ごとに設けるなど、各表示板１１が幅方向に位置ずれを生じないようにしている。また、表示板ホルダ１２の後方には各商品サンプル２ａを載置したサンプル台２ｂと、商品サンプル室２内を照明する蛍光灯２ｃが配置されている。
【００１４】
以上の構成においては、冷温表示装置１０の表示板ホルダ１２に保持された各表示板１１により、各表示板１１に対応する商品サンプル２ａの冷温状態が表示される。この場合、各表示板１１の前面は、上側の表示部１１ａ（または１１ｂ）及びこれに対応する価格表示部１１ｃの「￥１２０」の文字のみが外部から目視可能となるように下側の表示部１１ｂ（または１１ａ）及びこれに対応する価格表示部１１ｃの一部の文字「￥１２」が表示板ホルダ１２の遮蔽部１２ｃによって覆われる。その際、各表示板１１は光透過性の部材からなり、背面側から蛍光灯２ｃの光を照射されることから、上側の表示部１１ａ（または１１ｂ）及びこれに対応する価格表示部１１ｃが明るく発光する。また、任意の商品サンプル２ａの冷温表示を変更したい場合は、図２に示すように表示を変更したい商品サンプル２ａに対応する表示板１１を表示板ホルダ１２から上方へ引き抜き、その向きを上下に反転させて再び表示板ホルダ１２に挿入することにより、各表示部１１ａ，１１ｂの位置が上下反対になって冷温表示が切替わる。
【００１５】
このように、本実施形態によれば、上下方向一端側に冷状態を表示し、その他端側に温状態を表示した表示板１１を各商品サンプル２ａごとに備え、各表示板１１をその一方の冷温表示のみを覆う表示板ホルダ１２に着脱自在に設け、表示板１１を上下反対向きにすることにより各商品サンプル２ａの冷温表示を切替えるようにしたので、各商品サンプル２ａごとに任意の冷温表示が可能となり、各商品サンプル２ａに対応する商品を個別に冷状態または温状態に設定することができる。この場合、各表示板１１は互いに位置を変えたり、或いは新たなものと交換することができるので、販売商品の種類や価格の変更に常に的確に対応することができる。また、各表示板１１には冷表示部１１ａ及び温表示部１１ｂにそれぞれ対応する商品価格を表示した価格表示部１１ｃを設けたので、商品価格の表示手段を別途必要とせず、部品点数を少なくすることができる。この場合、商品価格を各表示部１１ａ，１１ｂの間に表示したので、表示板ホルダ１２によって表示板１１を保持すると、上側の冷温表示及びその価格表示が互いに上下に位置し、冷温表示と商品価格との対応関係を視覚的に明確にすることができる。更に、価格表示部１１ｃは各表示価格の最後の数字「０」を共有するように表示しているので、表示文字数を少なくすることができ、各表示板１１を小型化したり、或いは表示板１１の文字を大きく表示して視認性を高めることもできる。
【００１６】
尚、前記実施形態では各表示板１１の各表示部１１ａ，１１ｂに冷状態及び温状態をそれぞれ表示するようにしたが、各表示板１１ａ，１１ｂに同一の冷温状態を表示し、各表示板１１ａ，１１ｂに対応する価格表示部１１ｃの表示を異なった価格にするようにしてもよい。また、前記実施形態の各表示板１１における冷温表示は一例であり、単に「冷」及び「温」と表示したり、或いは「ＨＯＴ」及び「ＣＯＬＤ」と表示するなど、種々の表現を用いることが可能である。更に、前記実施形態では価格表示部１１ｃにおける各表示価格の最後の数字「０」を共有するように表示したが、例えば各表示価格が「￥１００」の場合は、二つの数字「００」を共有するように表示することもできる。また、最初の数字「１」を上下対称となるように表示すれば、各表示価格の位置を前記実施形態の左右反対にし、数字「１」を共有するように表示することも可能である。この場合、文字「￥」のみを表示板ホルダ１２の表面に別途表示しておけばよいが、各価格表示を「１２０円」と表現するようにしてもよい。
【００１７】
【発明の効果】
以上説明したように、請求項１の冷温表示装置によれば、複数の表示部材によって各商品サンプルごとに任意の冷温表示が可能となるので、各商品サンプルに対応する商品を個別に冷状態または温状態に設定することができ、しかも各表示部材を互いに位置を変えたり、或いは新たなものと交換することができるので、販売商品の種類や価格の変更に常に的確に対応することができる。
【００１８】
また、商品価格の表示手段を別途必要としないので、部品点数を少なくすることができる。
【００１９】
更に、冷温表示及びその価格表示を互いに上下に位置させることができるので、冷温表示と商品価格との対応関係を視覚的に明確にすることができ、購入客に対するサービス性の向上を図ることができる。
【００２０】
また、請求項２の冷温表示装置によれば、請求項１の効果に加え、価格表示の表示文字数を少なくすることができるので、各表示部材を小型化したり、或いは表示部材の文字を大きく表示して視認性を高めることもできる。
【図面の簡単な説明】
【図１】本発明の一実施形態を示す自動販売機の正面図
【図２】冷温表示装置の部分正面図
【図３】冷温表示装置の側面断面図
【符号の説明】
１…自動販売機本体、２ａ…商品サンプル、１０…冷温表示装置、１１…表示板、１２…表示板ホルダ、１２ｃ…遮蔽部。
【図１】
0003595222.tif 000002
【図２】
0003595222.tif 000003
【図３】
0003595222.tif 000004